(57)【要約】【課題】  よりユーザの利便性を向上させることが出来るコンテンツ記録再生装置、及びコンテンツ記録再生方法を提供する。【解決手段】  コンテンツの記録の許可を行う許諾サーバ２００にネットワークＮで接続され、コンテンツを第１の記録媒体９、１０、１１に記録するコンテンツ記録装置１００に用いられるコンテンツ記録再生方法であって、装着された第２の記録媒体Ｍから第１の暗号方式により暗号化されているコンテンツとバインディング情報とを読み出し、前記読み出した前記第１の暗号方式により暗号化されたコンテンツを前記バインディング情報により復号し、前記許諾サーバ２００によりコンテンツの記録の許可の認証を行い、前記コンテンツの記録が許可された場合、前記復号したコンテンツを第２の暗号方式により暗号化し、前記第２の暗号化方式により暗号化したコンテンツをコピーコンテンツとして前記第１の記録媒体９、１０、１１に記録し、前記バインディング情報を前記第１の記録媒体９、１０、１１に記憶する。【選択図】      図１
2010009714.tif 000002
【特許請求の範囲】
【請求項１】
コンテンツの記録の許可を行う許諾サーバにネットワークで接続され、コンテンツを第１の記録媒体に記録するコンテンツ記録装置であって、
装着された第２の記録媒体から第１の暗号化手段により第１の暗号方式で暗号化されているコンテンツとバインディング情報とを読み出す読出手段と、
前記読取手段により読み出した前記第１の暗号方式により暗号化されたコンテンツを前記バインディング情報により復号する第１の復号手段と、
前記許諾サーバによりコンテンツの記録の許可の認証を行うコピー管理部と、
前記コピー管理部によりコンテンツの記録が許可されたと判断した場合、前記第１の復号手段により復号したコンテンツを第２の暗号方式により暗号化する第２の暗号化手段と、
前記第２の暗号化手段により暗号化したコンテンツをコピーコンテンツとして前記第１の記録媒体に記録するコンテンツ記録手段と、
前記バインディング情報を前記第１の記録媒体に記憶するバインディング情報記憶手段と、
を具備することを特徴とするコンテンツ記録再生装置。
【請求項２】
前記コンテンツ記録手段により記録されているコピーコンテンツに含まれているスクリプト処理を実行するスクリプト処理手段と、
前記スクリプト処理手段により実行したスクリプトにより指定されているＵＲＬから第１の暗号方式により暗号化されているネットワークコンテンツをダウンロードするネットワーク接続手段と、
前記ネットワーク接続手段によりダウンロードした前記第１の暗号方式により暗号化されているネットワークコンテンツを前記バインディング情報記憶手段により記憶されている前記バインディング情報により復号する第３の復号手段と、
をさらに具備する請求項１に記載のコンテンツ記録再生装置。
【請求項３】
前記コンテンツ記録手段により記録されている前記第２の暗号化手段により暗号化されている前記コピーコンテンツを復号する第２の復号手段と、
前記第２の復号手段より復号されたコピーコンテンツと前記第３の復号手段により復号されたネットワークコンテンツとを組み合わせて再生するコンテンツ再生手段と、
をさらに具備することを特徴とする請求項２に記載のコンテンツ記録再生装置。
【請求項４】
コンテンツの記録の許可を行う許諾サーバにネットワークで接続され、コンテンツを第１の記録媒体に記録するコンテンツ記録装置に用いられるコンテンツ記録再生方法であって、
装着された第２の記録媒体から第１の暗号方式により暗号化されているコンテンツとバインディング情報とを読み出し、
前記読み出した前記第１の暗号方式により暗号化されたコンテンツを前記バインディング情報により復号し、
前記許諾サーバによりコンテンツの記録の許可の認証を行い、
前記コンテンツの記録が許可された場合、前記復号したコンテンツを第２の暗号方式により暗号化し、
前記第２の暗号化方式により暗号化したコンテンツをコピーコンテンツとして前記第１の記録媒体に記録し、
前記バインディング情報を前記第１の記録媒体に記憶する、
ことを特徴とするコンテンツ記録再生方法。
【請求項５】
コンテンツの記録の許可を行う許諾サーバにネットワークで接続され、コンテンツを第１の記録媒体に記録するコンテンツ記録装置であって、
装着された第２の記録媒体から第１の暗号方式により暗号化されているコンテンツとコンテンツ付加情報とバインディング情報とを読み出す読出手段と、
前記読出手段により読み出した前記コンテンツ付加情報を記憶する第１のコンテンツ付加情報記憶手段と、
前記読取手段により読み出した前記第１の暗号方式により暗号化されたコンテンツを前記バインディング情報により復号する第１の復号手段と、
前記許諾サーバによりコンテンツの記録の許可の認証を行うコピー管理部と、
前記コピー管理部によりコンテンツの記録が許可されたと判断した場合、前記第１の復号手段により復号したコンテンツと前記第１のコンテンツ付加情報記憶手段により記憶されている前記コンテンツ付加情報とを第２の暗号方式により暗号化する第２の暗号化手段と、
前記第２の暗号化手段により暗号化したコンテンツをコピーコンテンツとして前記第１の記録媒体に記録するコンテンツ記録手段と、
前記第２の暗号化手段により暗号化した前記コンテンツ付加情報を前記第１の記録媒体に記録する第２のコンテンツ付加情報記憶手段と、
前記第２の記録媒体のコンテンツの処理時にコンテンツ付加情報が更新される場合、前記第１のコンテンツ付加情報記憶手段の内容を更新する第１のコンテンツ付加情報更新手段と、
前記コピーコンテンツの処理時にコンテンツ付加情報が更新される場合、前記第２のコンテンツ付加情報記憶手段の内容を更新する第２のコンテンツ付加情報更新手段と、
前記第１のコンテンツ付加情報更新手段若しくは前記第２のコンテンツ付加情報更新手段により更新が行なわれることを検知する監視手段と、
前記監視手段により、前記第１のコンテンツ付加情報更新手段若しくは前記第２のコンテンツ付加情報更新手段により更新が行なわれたことを検知した場合、更新されたコンテンツ付加情報を前記第１のコンテンツ付加情報更新手段若しくは前記第２のコンテンツ付加情報更新手段の更新がされていない側にコピーする同期手段と、
を具備することを特徴とするコンテンツ記録再生装置。
【発明の詳細な説明】
【技術分野】
【０００１】
本発明は、例えば、動画等のコンテンツを記録媒体に記録するコンテンツ記録再生装置、及びコンテンツ記録再生方法に関する。
【背景技術】
【０００２】
近年、光ディスク等に記録されたコンテンツにアクセスするデジタル機器が種々開発されている。このような機器でアクセスされる光ディスクに記録されたデータには、不正アクセスあるいは違法コピーを防止するため、暗号化処理が施されている。この暗号化されたデータには、ＤＶＤ（Ｄｉｇｉｔａｌ  Ｖｅｒｓａｔｉｌｅ  Ｄｉｓｃ）では主にＣＳＳ（Ｃｏｎｔｅｎｔ  Ｓｃｒａｍｂｌｅ  Ｓｙｓｔｅｍ）方式に準拠した暗号化方式が採用されている。
【０００３】
一方、より高度な暗号化方式として、ＡＡＣＳ（Ａｄｖａｎｃｅｄ  Ａｃｃｅｓｓ  Ｃｏｎｔｅｎｔ  Ｓｙｓｔｅｍ）がＨＤ−ＤＶＤ及びＢＤ（Ｂｌｕｅｌａｙ−Ｄｉｓｃ）などに用いられている。このＡＡＣＳの規格に、ＭＣ（マネージドコピー）と呼ばれるコンテンツのコピー技術が定義されている。
【０００４】
このマネージドコピー機能を備えるコンテンツ記録装置、即ち、ＡＡＣＳ方式が採用されたコンテンツ記録装置は、光ディスクに記録されているコンテンツのコピーを行う場合、コピー許諾サーバに対してコピーの許可要求を行う。コンテンツ記録装置は、コピー許諾サーバにより認証された場合、コピー許諾サーバからコンテンツ証明書を受信し、光ディスクに記録されているバインディング情報を用いて、ＡＡＣＳにより暗号化されている光ディスクのコンテンツを復号し、記録先記録媒体へ記録する（例えば特許文献１参照）。
【特許文献１】特開２００８−２１３５０号公報
【発明の開示】
【発明が解決しようとする課題】
【０００５】
上記したコンテンツ記録装置において、マネージドコピーの対象となるデータは、光ディスク等に記録されたコンテンツに限定されていない。例えば、コンテンツ記録装置は、機器内部に保存されているコンテンツ付加情報などもコンテンツのデータと併せてコピーすることが出来る。
【０００６】
コンテンツ付加情報は、コンテンツの再生に利用される情報である。コンテンツ付加情報は、例えば、映像、音声、静止画データ、若しくはスクリプトデータなどである。コンテンツ付加情報は、コンテンツ記録装置が光ディスクからコンテンツを読み出す場合に併せて読み出され、記録される。
【０００７】
これにより、ユーザは、マネージドコピーにより複製されたコンテンツ（コピーコンテンツ）を視聴する場合でも、光ディスクからコンテンツを読み出す場合と同等の視聴環境で視聴することが出来る。
【０００８】
また、上記したような光ディスクのコンテンツは、ネットワークアクセス機能を持つ場合がある。この場合、コンテンツ記録装置は、光ディスクのコンテンツのアプリケーションの制御により、ネットワークを介してネットワークコンテンツを取得することができる。ネットワークコンテンツは、例えば、映画の冒頭部などに挿入されるトレーラなどのデータである。コンテンツ記録装置は、取得したネットワークコンテンツと光ディスクのコンテンツとを合成して再生することが出来る。
【０００９】
しかし、ネットワークコンテンツは、保護のためにＡＡＣＳにより暗号化されている場合が多い。しかし、従来のコンテンツ記録装置によりマネージドコピーされたコピーコンテンツは、ＡＡＣＳの復号に必要なバインディング情報を持っていない。この為、コンテンツ記録装置は、コピーコンテンツのアプリケーションの制御によりネットワークにアクセスして取得したネットワークコンテンツの復号を行なう事ができない。この結果、ユーザは、コピーコンテンツを視聴する場合、光ディスクからコンテンツを読み出す場合と同等の視聴環境を得ることが出来ない可能性がある。
【００１０】
本発明の一形態における目的は、上記した問題点を解決するものであり、よりユーザの利便性を向上させることが出来るコンテンツ記録再生装置、及びコンテンツ記録再生方法を提供することにある。
【課題を解決するための手段】
【００１１】
本発明の一実施形態としてのコンテンツ記録再生装置は、コンテンツの記録の許可を行う許諾サーバにネットワークで接続され、コンテンツを第１の記録媒体に記録するコンテンツ記録装置であって、装着された第２の記録媒体から第１の暗号方式により暗号化されているコンテンツとバインディング情報とを読み出す読出手段と、前記読取手段により読み出した前記第１の暗号方式により暗号化されたコンテンツを前記バインディング情報により復号する第１の復号手段と、前記許諾サーバによりコンテンツの記録の許可の認証を行うコピー管理部と、前記コピー管理部によりコンテンツの記録が許可されたと判断した場合、前記第１の復号手段により復号したコンテンツを第２の暗号方式により暗号化する第２の暗号化手段と、前記第２の暗号化手段により暗号化したコンテンツをコピーコンテンツとして前記第１の記録媒体に記録するコンテンツ記録手段と、前記バインディング情報を前記第１の記録媒体に記憶するバインディング情報記憶手段と、を具備する。
【００１２】
また、本発明の一実施形態としてのコンテンツ記録再生装置は、コンテンツの記録の許可を行う許諾サーバにネットワークで接続され、コンテンツを第１の記録媒体に記録するコンテンツ記録装置であって、装着された第２の記録媒体から第１の暗号方式により暗号化されているコンテンツとコンテンツ付加情報とバインディング情報とを読み出す読出手段と、前記読出手段により読み出した前記コンテンツ付加情報を記憶する第１のコンテンツ付加情報記憶手段と、前記読取手段により読み出した前記第１の暗号方式により暗号化されたコンテンツを前記バインディング情報により復号する第１の復号手段と、前記許諾サーバによりコンテンツの記録の許可の認証を行うコピー管理部と、前記コピー管理部によりコンテンツの記録が許可されたと判断した場合、前記第１の復号手段により復号したコンテンツと前記第１のコンテンツ付加情報記憶手段により記憶されている前記コンテンツ付加情報とを第２の暗号方式により暗号化する第２の暗号化手段と、前記第２の暗号化手段により暗号化したコンテンツをコピーコンテンツとして前記第１の記録媒体に記録するコンテンツ記録手段と、前記第２の暗号化手段により暗号化した前記コンテンツ付加情報を前記第１の記録媒体に記録する第２のコンテンツ付加情報記憶手段と、前記第２の記録媒体のコンテンツの処理時にコンテンツ付加情報が更新される場合、前記第１のコンテンツ付加情報記憶手段の内容を更新する第１のコンテンツ付加情報更新手段と、前記コピーコンテンツの処理時にコンテンツ付加情報が更新される場合、前記第２のコンテンツ付加情報記憶手段の内容を更新する第２のコンテンツ付加情報更新手段と、前記第１のコンテンツ付加情報更新手段若しくは前記第２のコンテンツ付加情報更新手段により更新が行なわれることを検知する監視手段と、前記監視手段により、前記第１のコンテンツ付加情報更新手段若しくは前記第２のコンテンツ付加情報更新手段により更新が行なわれたことを検知した場合、更新されたコンテンツ付加情報を前記第１のコンテンツ付加情報更新手段若しくは前記第２のコンテンツ付加情報更新手段の更新がされていない側にコピーする同期手段と、を具備する。
【００１３】
また、本発明の一実施形態としてのコンテンツ記録再生方法は、コンテンツの記録の許可を行う許諾サーバにネットワークで接続され、コンテンツを第１の記録媒体に記録するコンテンツ記録装置に用いられるコンテンツ記録再生方法であって、装着された第２の記録媒体から第１の暗号方式により暗号化されているコンテンツとバインディング情報とを読み出し、前記読み出した前記第１の暗号方式により暗号化されたコンテンツを前記バインディング情報により復号し、前記許諾サーバによりコンテンツの記録の許可の認証を行い、前記コンテンツの記録が許可された場合、前記復号したコンテンツを第２の暗号方式により暗号化し、前記第２の暗号化方式により暗号化したコンテンツをコピーコンテンツとして前記第１の記録媒体に記録し、前記バインディング情報を前記第１の記録媒体に記憶する。
【発明の効果】
【００１４】
この発明の一形態によれば、よりユーザの利便性を向上させることが出来るコンテンツ記録再生装置、及びコンテンツ記録再生方法を提供することができる。
【発明を実施するための最良の形態】
【００１５】
以下、図１乃至図７を参照しながら、本発明の第１の実施形態に係るコンテンツ記録再生装置、及びコンテンツ記録再生方法ついて詳細に説明する。  
図１は、第１の実施の形態に係るコンテンツ記録再生装置１００の構成を示すブロック図である。コンテンツ記録再生装置１００は、例えば、ＨＤ−ＤＶＤ、ＤＶＤ、及びＢＤ等の光ディスクに対して記録および再生を行う。コンテンツ記録再生装置１００は、ＡＡＣＳに対応した記録再生装置である。即ち、コンテンツ記録再生装置１００は、マネージドコピーを行うことが出来る。
【００１６】
図１に示すように、コンテンツ記録再生装置１００は、インターネット等のネットワークＮを介してコピー許諾サーバ２００に接続されている。コピー許諾サーバ２００は、コンテンツのプロバイダなどにより提供されるサーバである。コピー許諾サーバ２００は、コンテンツ記録再生装置１００からコピー許可要求を受信する場合、コンテンツ記録再生装置１００の認証を行う。コピー許諾サーバ２００は、認証が成功した場合、コンテンツ記録再生装置１００に対してマネージドコピーを許可することを示す情報を送信する。
【００１７】
コンテンツ記録再生装置１００は、光ディスクドライブ１、ナビゲーション処理部２、映像出力部３、暗号処理部４、コンテンツ付加情報記憶部５、ＭＣ処理部６、ネットワーク接続部７、ＤＲＭ処理部８、コンテンツ付加情報記憶部９、コンテンツ記録部１０、バインディング情報記憶部１１、コンテンツ再生部１２、ＤＲＭ処理部１３、暗号処理部１４、及び暗号処理切替部１５を備えている。コンテンツ記録再生装置１００の各部は、汎用バス、若しくは専用の特殊バスで互いに接続されている。
【００１８】
光ディスクドライブ１は、読出手段である。光ディスクドライブ１は、光ディスクＭのデータの読み取りを行う。また、光ディスクＭが書込み可能な光ディスクである場合、光ディスクドライブ１は、光ディスクＭに対してデータの書きこみを行うこともできる。
【００１９】
光ディスクＭは、コンテンツの情報であるＡＶストリーム、各種の属性情報、スクリプト、及びバインディング情報などを記憶している。光ディスクＭに記憶されているＡＶストリーム（コンテンツ）、各種の属性情報、及びスクリプトは、暗号方式ＡＡＣＳにより暗号化が施されている。バインディング情報は、光ディスクＭ内部のユーザがアクセス出来ない物理領域に保存されている。
【００２０】
また、光ディスクＭは、Ｍａｎａｇｅｄ  Ｃｏｐｙ  Ｍａｎｉｆｅｓｔ（コピー管理情報）を記憶している。コピー管理情報は、マネージドコピーの認証を受ける為のコピー許諾サーバ２００のＵＲＬ、及び光ディスクＭ固有のディスクＩＤなどを含む。
【００２１】
ナビゲーション処理部２は、光ディスクＭのコンテンツの再生の管理を行う。即ち、ナビゲーション処理部２は、多重化データの分離処理、オーディオ／ビデオストリームのデコード、種々のスクリプト処理、及びコンテンツの再生を行う。ナビゲーション処理部２は、光ディスクＭのスクリプトを処理することにより、種々の制御を行う。
【００２２】
映像出力部３は、映像出力手段である。映像出力部３は、ナビゲーション処理部２からの出力に基づいて、外部接続されたディスプレイなどの表示装置に映像を表示させる為の再生信号を出力する。映像出力部３は、音声出力部を備えていてもよい。音声出力部は、ナビゲーション処理部２からの出力に基づいて、外部接続されたスピーカなどの出力装置に音声を出力させる為の音声信号を出力する。
【００２３】
暗号処理部４は、暗号処理手段（復号手段）である。暗号処理部４は、光ディスクＭの暗号処理が施されたデータの復号を行う。即ち、コンテンツ記録再生装置１００が保持しているデバイスキーを用いて光ディスクＭのバインディング情報を復号する。復号したバインディング情報を用いて、コンテンツ、スクリプト、及び、属性情報などのＡＡＣＳが施されたデータを復号（ＡＡＣＳ復号処理）する。
【００２４】
コンテンツ付加情報記憶部５は、第一のコンテンツ付加情報記憶手段である。コンテンツ付加情報記憶部５は、光ディスクＭのコンテンツの再生に利用されるコンテンツの付加情報（例えば、映像、音声、静止画データ、若しくはスクリプトデータ）を保存するための領域である。
【００２５】
ＭＣ処理部６は、ＭＣ（Ｍａｎａｇｅｄ  Ｃｏｐｙ）処理手段である。光ディスクＭのコンテンツのマネージドコピーを制御する。コピー許諾サーバ２００からマネージドコピーに関する認証を受けた場合、ＭＣ処理部６は、光ディスクＭのコンテンツをコピーする。
【００２６】
ネットワーク接続部７は、ネットワーク接続手段である。ネットワーク接続部７は、ネットワーク接続機能を有する。コンテンツ記録再生装置１００は、ネットワーク接続部７を介し、ネットワークＮ上のコピー許諾サーバ２００と通信を行う。
【００２７】
ＤＲＭ処理部８は、ＤＲＭ手段（暗号化手段）である。ＤＲＭ処理部８は、マネージドコピーが行われる場合に、コピーされたコンテンツに対してＤＲＭ（Ｄｉｇｉｔａｌ  Ｒｉｇｈｔｓ  Ｍａｎａｇｅｍｅｎｔ）を施す。これにより、マネージドコピーされたコンテンツは、さらにコピーされて視聴されないように保護される。即ち、ＤＲＭ処理部８は、コピーコンテンツのコピーを制限する、特定のハードでのみ再生することが出来るようにコピーコンテンツの再生を制限するなどのＤＲＭ処理（ＤＲＭ暗号化処理）を施す。
【００２８】
ＤＲＭ処理部８によりＤＲＭ暗号化処理が施されたコピーコンテンツ（コンテンツ及びコンテンツ付加情報）は、コンテンツ付加情報記憶部９及びコンテンツ記録部１０にそれぞれ記憶される。
【００２９】
コンテンツ付加情報記憶部９は、第二のコンテンツ付加情報記憶手段である。コンテンツ付加情報記憶部９は、コンテンツ付加情報を記憶する。
【００３０】
コンテンツ記録部１０は、コンテンツ記録手段である。コンテンツ記録部１０は、光ディスクＭからコピーしたコンテンツを記憶する記憶領域である。コンテンツ記録部１０は、例えば、ＨＤＤ、不揮発性メモリなどにより構成される。
【００３１】
バインディング情報記憶部１１は、バインディング情報記憶手段である。バインディング情報記憶部１１は、暗号処理部４により復号したバインディング情報を記憶する。
【００３２】
コンテンツ再生部１２は、コンテンツ再生手段である。コンテンツ再生部１２は、コンテンツ付加情報記憶部９、コンテンツ記録部１０、及びバインディング情報記憶部１１に記憶されている情報に基づいてコピーコンテンツを再生する。
【００３３】
ＤＲＭ処理部１３は、ＤＲＭ手段である。ＤＲＭ処理部１３は、ＤＲＭ暗号化処理が施されたコンテンツを復号するＤＲＭ復号処理を行う。
【００３４】
暗号処理部１４は、暗号処理手段（復号手段）である。暗号処理部１４は、バインディング情報記憶部１１に記憶されているバインディング情報を用いて、ＡＡＣＳ復号処理を行う。
【００３５】
コピーコンテンツの再生を実行する場合、コンテンツ再生部１２は、コンテンツ記録部１０からコンテンツを読み取る。また、コンテンツ再生部１２は、コンテンツ付加情報記憶部９からコンテンツ付加情報を読み取る。コンテンツ再生部１２は、読み取ったコンテンツ及びコンテンツ付加情報に基づいてコピーコンテンツの再生を行う。
【００３６】
なお、コンテンツ付加情報記憶部９、及びコンテンツ記録部１０に記憶されているコピーコンテンツは、ＤＲＭ暗号化処理が施されている。この為、コンテンツ再生部１２は、ＤＲＭ処理部１３によりコピーコンテンツのＤＲＭ復号処理を行う。
【００３７】
また、コピーコンテンツの再生時にナビゲーション処理部２によりネットワークコンテンツのダウンロードを指示するスクリプト処理を実行した場合、ナビゲーション処理部２は、ネットワークコンテンツをネットワークからダウンロードする。ここでダウンロードしたネットワークコンテンツにはＡＡＣＳ暗号化処理が施されている。この為、コンテンツ再生部１２は、暗号処理部１４によりネットワークコンテンツのＡＡＣＳ復号処理を行う。
【００３８】
暗号処理切替部１５は、暗号処理切り替え手段である。暗号処理切替部１５は、コンテンツ再生部１２の制御に基づいて、コンテンツの復号処理の方式を切り替える。即ち、暗号処理切替部１５は、復号すべきコンテンツにＤＲＭ暗号化処理が施されている場合、ＤＲＭ処理部１３により復号を行うように復号手段を切り替える。また、暗号処理切替部１５は、復号すべきコンテンツにＡＡＣＳ暗号化処理が施されている場合、暗号処理部１４により復号を行うように復号手段を切り替える。
【００３９】
光ディスクＭのコンテンツを再生する場合、ナビゲーション処理部２は、光ディスクドライブ１により光ディスクＭのデータを読み取る。ここで、ナビゲーション処理部２は、光ディスクＭから、ＡＶストリーム、メタデータ、スクリプト、及び各種の管理ファイルなどを取得する。
【００４０】
ナビゲーション処理部２は、読み出したデータの分離処理を行う。また、ナビゲーション処理部２は、ＡＡＣＳにより暗号化されているデータのＡＡＣＳ復号処理を暗号処理部４により行う。
【００４１】
またさらに、ナビゲーション処理部２は、スクリプトの処理を行なうことにより、メニューなどの表示、各種のコマンド処理を行う。このようにして生成されたコンテンツは、映像出力部３を介して外付けのディスプレイに表示される。
【００４２】
また、ナビゲーション処理部２は、コンテンツの動作に必要となるデータ群をコンテンツ付加情報記憶部５する。また、ナビゲーション処理部２は、コンテンツの再生時、コンテンツ付加情報記憶部５からデータ群を読み出し、コンテンツの再生に用いることが出来る。
【００４３】
コンテンツ付加情報記憶部５は、一般的に、テキストデータ、映像データ、音声データ、静止画データ、スクリプトデータ、及びチャプター位置などの情報を記憶する。ナビゲーション処理部２は、スクリプトの処理を実行する場合、スクリプトの処理に基づいて、コンテンツ付加情報記憶部５に記憶されている情報にアクセスする。
【００４４】
図２は、図１に示すコンテンツ記録再生装置１００により実行されるマネージドコピーの一例について概略的に説明するための説明図である。また、図３は、図１に示すコンテンツ記録再生装置１００及びコピー許諾サーバ２００により実行されるマネージドコピーの認証処理について説明するためのシーケンスである。
【００４５】
上記したように、マネージドコピーは、ＡＡＣＳ規格で定義されているコンテンツのコピーの方式である。マネージドコピーにより、各種のコンテンツは、安全にコピーされる。
【００４６】
具体的に、マネージドコピーは、光ディスクＭのコンテンツ内のスクリプト言語により実行される。即ち、図１に示すナビゲーション処理部２によりこのスクリプトを実行した場合、マネージドコピーが行われる。
【００４７】
図３に示すように、マネージドコピーを実行する場合、ナビゲーション処理部２は、まず本装置１００がマネージドコピーに対応しているか否か確認する。即ち、ナビゲーション処理部２は、本装置１００がＭＣＭ（Ｍａｎａｇｅｄ  Ｃｏｐｙ  Ｍａｃｈｉｎｅ）をサポートしているか否か確認する。ナビゲーション処理部２は、ＡＰＩ（ＩｓＭＣＭＳｕｐｐｏｒｔｅｄ）を呼び出し、その戻り値「Ｔｒｕｅ」である場合、本装置１００がＭＣＭをサポートしていると判断する。
【００４８】
本装置１００がＭＣＭをサポートしていると判断した場合、ナビゲーション処理部２は、ＡＰＩ（ＩｎｖｏｋｅＭＣＭ）を呼び出し、ＭＣＭを起動する。即ち、ナビゲーション処理部２は、図１に示すユニットのうちのマネージドコピーの実行に関するユニットを起動する。なお、ＭＣＭは、ナビゲーション処理部２の制御に基づいて動作する。
【００４９】
ナビゲーション処理部２は、光ディスクＭからコピー管理情報を読み出す。この場合、ナビゲーション処理部２は、コピー管理手段として機能する。ナビゲーション処理部２は、コピー管理情報からコピー許諾サーバ２００のＵＲＬ及びディスクＩＤを読み出す。ナビゲーション処理部２は、ネットワーク接続部７を介してコピー許諾サーバ２００にアクセスし、ディスクＩＤを含むコピー許可要求（Ｒｅｑｕｅｓｔ  Ｏｆｆｅｒ）をコピー許諾サーバ２００に送信してネゴシエーションを行う。
【００５０】
コピー許諾サーバ２００は、コンテンツ記録再生装置１００、即ちＭＣＭからコピー許可要求を受信すると、受信した情報に基づいてマネージドコピーが可能なコンテンツの許可リストをレスポンスとしてコンテンツ記録再生装置１００に送信する（Ｏｆｆｅｒ  Ｌｉｓｔ  Ｒｅｔｕｒｎｅｄ）。
【００５１】
ナビゲーション処理部２は、許可リスト受信すると、例えば、ユーザの操作に応じてマネージドコピーを行うコンテンツ、及びＤＲＭの方式などを選択する。ナビゲーション処理部２は、ここで選択した情報を含むコピー許可要求（Ｒｅｑｕｅｓｔ  Ｐｅｒｍｉｓｓｉｏｎ）をコピー許諾サーバ２００に送信する。
【００５２】
コピー許諾サーバ２００は、コピー許可要求に基づいてマネージドコピーの認証を行う。コピー許諾サーバ２００は、認証結果（Ｐｅｒｍｉｓｓｉｏｎ  Ｒｅｓｐｏｎｓｅ）をコンテンツ記録再生装置１００に送信する。
【００５３】
ナビゲーション処理部２は、受信した認証結果の正当性を認証し（Ｖｅｒｉｆｙ  Ｐｅｒｍｉｓｓｉｏｎ  Ｒｅｓｐｏｎｓｅ）、正等であると判断した場合、マネージドコピーを行う（Ｃｒｅａｔｅ  Ｍａｎａｇｅｄ  Ｃｏｐｙ）。即ち、ナビゲーション処理部２は、図１に示すＭＣ処理部６により、マネージドコピーを実行する。
【００５４】
ＭＣ処理部６は、光ディスクＭよりＡＡＣＳにより暗号化されているコンテンツ、コンテンツ付加情報、及びバインディング情報を光ディスクドライブにより読み出す。図１に示す暗号処理部４は、バインディング情報を用いて、コンテンツ、及びコンテンツ付加情報をＡＡＣＳ復号処理する。ＭＣ処理部６は、復号され平文化されたコンテンツ、及びコンテンツ付加情報を図１に示すＤＲＭ処理部８に送信する。
【００５５】
ＤＲＭ処理部８は、平文化されたコンテンツ、及びコンテンツ付加情報に対して、コピー許諾サーバ２００により認証されたＤＲＭ方式によりＤＲＭ暗号化処理を施す。
【００５６】
ＭＣ処理部６は、ＤＲＭ処理部８によりＤＲＭ暗号化処理を施したコピーコンテンツ（コンテンツ及びコンテンツ付加情報）を、図１に示すコンテンツ付加情報記憶部９及びコンテンツ記録部１０にそれぞれ記憶する。
【００５７】
さらに、ＭＣ処理部６は、光ディスクＭから読み出したバインディング情報を図１に示すバインディング情報記憶部１１に記憶する。
【００５８】
ＡＡＣＳには、複数のバインディング方法が定義されている。  
図４は、バインディング情報の種別について説明するための説明図である。図４に示すように、バインディング情報は、「Ｂｉｎｄｉｎｇ  ｔｏ  Ｍｅｄｉｕｍ」、「Ｂｉｎｄｉｎｇ  ｔｏ  Ｃｏｎｔｅｎｔ」、「Ｂｉｎｄｉｎｇ  ｔｏ  Ｍｅｄｉｕｍ  ａｎｄ  Ｄｅｖｉｃｅ」、「Ｂｉｎｄｉｎｇ  ｔｏ  Ｃｏｎｔｅｎｔ  ａｎｄ  Ｄｅｖｉｃｅ」、及び「Ｂｉｎｄｉｎｇ  ｔｏ  ＴＮ」などの種別がある。図４に示すように、バインディング情報の種別ごとにバインディング対象、及び使用されるバインディング情報が定義されている。
【００５９】
即ち、「Ｂｉｎｄｉｎｇ  ｔｏ  Ｍｅｄｉｕｍ」のバインディング対象は、「Ｍｅｄｉｕｍ」である。「ＶｏｌｕｍｅＩＤ、ＰＭＳＮ」がバインディング情報として用いられる。「Ｂｉｎｄｉｎｇ  ｔｏ  Ｃｏｎｔｅｎｔ」のバインディング対象は、「Ｃｏｎｔｅｎｔ」である。「ＶｏｌｕｍｅＩＤ」がバインディング情報として用いられる。「Ｂｉｎｄｉｎｇ  ｔｏ  Ｍｅｄｉｕｍ  ａｎｄ  Ｄｅｖｉｃｅ」のバインディング対象は、「Ｍｅｄｉｕｍ  ａｎｄ  Ｄｅｖｉｃｅ」である。「ＶｏｌｕｍｅＩＤ、ＰＭＳＮ、ＤＵＮ」がバインディング情報として用いられる。「Ｂｉｎｄｉｎｇ  ｔｏ  Ｃｏｎｔｅｎｔ  ａｎｄ  Ｄｅｖｉｃｅ」のバインディング対象は、「Ｃｏｎｔｅｎｔ  ａｎｄ  Ｄｅｖｉｃｅ」である。「ＶｏｌｕｍｅＩＤ、ＤＵＮ」がバインディング情報として用いられる。「Ｂｉｎｄｉｎｇ  ｔｏ  ＴＮ」のバインディング対象は、「ＴＮ」である。「ＴＮ」がバインディング情報として用いられる。
【００６０】
バインディング情報は、コンテンツ毎に異なる種別のものが用いられている可能性がある。この為、バインディング情報は、図５に示すようにコンテンツ毎にバインディング情報記憶部１１に記憶される。
【００６１】
図５は、バインディング情報記憶部１１に記憶されたバインディング情報の一例を説明するための説明図である。図５に示すように、コンテンツ名「Ｂａｒｋ  ａｔ  ｔｈｅ  ｍｏｏｎ」のバインディング情報として「ＶｏｌｕｍｅＩＤ」及び「ＰＭＳＮ」が記憶されている。
【００６２】
また、コンテンツ名「ｂｅｅ  ｓｔｉｎｇ  ｙｏｕ」のバインディング情報として「ＶｏｌｕｍｅＩＤ」及び「ＰＭＳＮ」が記憶されている。  
なお、省略して図示してあるが、他にもさらにコンテンツ毎にバインディング情報が記憶されている。
【００６３】
図６は、コピーコンテンツ及びネットワークコンテンツの再生処理について説明するための説明図である。  
マネージドコピーにより作成したコピーコンテンツの再生時に、ネットワークアクセスが発生する場合がある。例えば、コンテンツ記録再生装置１００は、コピーコンテンツの再生時にネットワークコンテンツをサーバからダウンロードし、ネットワークコンテンツを図１に示すコンテンツ付加情報記憶部９に記憶し、ネットワークコンテンツを再生する。
【００６４】
即ち、このサーバには、「Ｐｌａｙｌｉｓｔ」、「アプリケーション」、「ビデオオブジェクト（ＶＯＢ）」、「ＡＡＣＳ関連情報（Ｔｉｔｌｅ  Ｋｅｙ  Ｆｉｌｅ／Ｔｉｔｌｅ  Ｕｓａｇｅ  Ｆｉｌｅ）」などのデータが記憶されている。
【００６５】
コンテンツ記録部１０に記録されているコピーコンテンツは、ＤＲＭにより暗号化されている。この為、コピーコンテンツを再生する場合、暗号処理切替部１５は、ＤＲＭ処理部１３を選択する。即ち、コンテンツ再生部１２は、コンテンツ記録部１０からコピーコンテンツを読み出し、ＤＲＭ処理部１３によりＤＲＭ復号処理を行う。
【００６６】
ここで、コピーコンテンツ中に、サーバからデータをダウンロードして再生するようなスクリプトが含まれているとする。この場合、ナビゲーション処理部２は、スクリプトに基づいてサーバにアクセスし、スクリプトにより指定されているデータをダウンロードする。即ち、ナビゲーション処理部２は、スクリプト処理手段として機能する。
【００６７】
ここでダウンロードしたコンテンツを再生する場合、ナビゲーション処理部２は、ダウンロードしたデータの「Ｐｌａｙｌｉｓｔ」を呼び出す。このような処理を実行するためのスクリプトの記述例を図７に示す。
【００６８】
図７に示すように、サーバからデータをダウンロードするスクリプトには、処理内容、サーバのＵＲＬ、コンテンツのファイル名などが含まれている。また、ダウンロードしたデータを実行するスクリプトには、処理内容、及び処理を実行するファイル名が含まれている。
【００６９】
ここでサーバからダウンロードしたコンテンツ（ネットワークコンテンツ）、即ち「アプリケーション」、及び「ＶＯＢ」は、通常ＡＡＣＳにより暗号化されている。この為、ネットワークコンテンツを再生する場合、暗号処理切替部１５は、暗号処理部１４を選択する。
【００７０】
即ち、コンテンツ再生部１２は、コンテンツ付加情報記憶部９からネットワークコンテンツを読み出す。コンテンツ再生部１２は、バインディング情報記憶部１１からこの実行中のコピーコンテンツに対応するバインディング情報を読み出す。コンテンツ再生部１２は、読み出したバインディング情報を用いて、暗号処理部１４によりＡＡＣＳ復号処理を行う。コンテンツ再生部１２は、復号したネットワークコンテンツを再生する。
【００７１】
なお、バインディング情報は、コンテンツ毎（コピーコテンツ毎）に記憶されている。この為、バインディング情報記憶部１１に複数のバインディング情報が記憶されている場合でも、コンテンツ再生部１２は、再生中のコピーコンテンツに対応するバインディング情報を容易に選択することが出来る。
【００７２】
上記したように、マネージドコピーを実行する場合、コンテンツ記録装置は、光ディスクから読み出したコンテンツとコンテンツ付加情報とバインディング情報とを記憶する。コピーコンテンツの再生時に取得したネットワークコンテンツの再生を行う場合、コンテンツ記録装置は、記憶しているバインディング情報を用いてＡＡＣＳ復号処理を行い、ネットワークコンテンツを再生する。
【００７３】
これにより、本実施形態に係るコンテンツ記録装置は、マネージドコピーされたコンテンツを再生する場合と、光ディスクからコンテンツを再生する場合とで等価な視聴環境をユーザに提供することが出来る。この結果として、よりユーザの利便性を向上させることが出来るコンテンツ記録再生装置、及びコンテンツ記録再生方法を提供することができる。
【００７４】
なお、バインディング情報を記憶する場合、ＤＲＭ処理部８によりバインディング情報に対してＤＲＭ暗号化処理を行うようにしてもよい。この場合、コンテンツ再生部１２は、まずバインディング情報をＤＲＭ復号処理し、復号したバインディング情報によりネットワークコンテンツをＡＡＣＳ復号処理する。
【００７５】
次に、第２の実施形態について図８を用いて説明する。なお、第１の実施形態において示した構成と同様の構成には同じ符号を付し、その詳細な説明を省略する。
【００７６】
第１の実施形態に係るコンテンツ記録再生装置１００は、ネットワークコンテンツを再生する場合、マネージドコピーを行った際にコピーしたバインディング情報により、ネットワークコンテンツのＡＡＣＳ復号処理を行い再生するとして説明したが、これに限定されない。
【００７７】
サーバ側に予め複数の暗号方式に対応するネットワークコンテンツを記憶させておき、コンテンツ記録再生装置１００により復号可能な暗号方式のネットワークコンテンツをダウンロードさせるような構成であってもよい。
【００７８】
これは、例えば、コンテンツ記録再生装置１００により、スクリプトのＵＲＬを読み替える、若しくは、ＨＴＴＰヘッダに新しい情報を付加するなどの処理を行うことにより実現することが出来る。
【００７９】
図８は、ネットワークコンテンツをダウンロードする場合の処理について説明するための説明図である。  
上記したように、コンテンツ記録再生装置１００にネットワークコンテンツを提供するためのサーバ３００は、複数の何号方式に対応するネットワークコンテンツを記憶している。本実施形態では、サーバ３００は、ＤＲＭ方式のネットワークコンテンツとＡＡＣＳ方式のネットワークコンテンツとを記憶している。
【００８０】
ＨＴＴＰヘッダに新しい情報を付加する場合、コンテンツ記録再生装置１００は、スクリプトのＵＲＬで指定されているサーバ３００にアクセスし、ネットワークコンテンツのダウンロードを要求する。この際、コンテンツ記録再生装置１００は、自機で復号可能な暗号方式を示す情報をダウンロード要求のヘッダの拡張領域に挿入してＨＴＴＰメソッドを生成する。これにより、コンテンツ記録再生装置１００は、サーバに必要となるデータ種別を通知する。
【００８１】
本実施形態では、コピーコンテンツを再生している場合、コンテンツ記録再生装置１００は、復号可能な暗号方式を示す情報として「ＤＲＭ」を挿入する。また、光ディスクＭのコンテンツを再生している場合、コンテンツ記録再生装置１００は、復号可能な暗号方式を示す情報として「ＡＡＣＳ」を挿入する。
【００８２】
サーバ３００は、受信したダウンロード要求のヘッダを参照し、コンテンツ記録再生装置１００の復号可能な暗号方式を判別し、コンテンツ記録再生装置１００を送信するネットワークコンテンツを選択する。
【００８３】
即ち、復号可能な暗号方式を示す情報として「ＤＲＭ」が挿入されていた場合、サーバ３００は、ＤＲＭにより暗号化されている「Ｃｏｎｔｅｎｔ１．ＤＲＭ」をコンテンツ記録再生装置１００に送信する。また、復号可能な暗号方式を示す情報として「ＡＡＣＳ」が挿入されていた場合、サーバ３００は、ＡＡＣＳにより暗号化されている「Ｃｏｎｔｅｎｔ１．ａａｃｓ」をコンテンツ記録再生装置１００に送信する。
【００８４】
上記した構成により、コンテンツ記録装置は、例えば、マネージドコピーにより生成されたコピーコンテンツを再生する場合でも、光ディスクからコンテンツを再生する場合と等価な視聴環境をユーザに提供することが出来る。この結果として、よりユーザの利便性を向上させることが出来るコンテンツ記録再生装置、及びコンテンツ記録再生方法を提供することができる。
【００８５】
上記したように、第１の実施形態により、コピーコンテンツを再生する場合でも、ネットワークコンテンツを視聴することが出来る。しかし、コンテンツ付加情報記憶部５、９に記憶されている情報は逐次書き換えられる。例えば、ユーザの操作により挿入されたチャプターの位置、コンテンツの再生を終了した位置などがコンテンツ付加情報記憶部５、９において書き換えられる。
【００８６】
これにより、コピーコンテンツと光ディスクＭのコンテンツの両方を視聴する可能性が有る場合、コンテンツ付加情報記憶部５とコンテンツ付加情報記憶部９とでコンテンツ付加情報に相違が発生すると言う問題がある。この為、ユーザの利便性を損ねる可能性がある。
【００８７】
そこで、第３の実施形態において、コンテンツ付加情報記憶部５とコンテンツ付加情報記憶部９とでコンテンツ付加情報の整合性を取る例について説明する。
【００８８】
第３の実施形態について図９乃至図１３を用いて説明する。なお、第１の実施形態において示した構成と同様の構成には同じ符号を付し、その詳細な説明を省略する。
【００８９】
図９は、第３の実施形態に係るコンテンツ記録再生装置４００の構成例を示す図である。  
図９に示すように、第３の実施形態に係るコンテンツ記録再生装置４００は、光ディスクドライブ１、ナビゲーション処理部、映像出力部３、暗号処理部４、コンテンツ付加情報記憶部５、ＭＣ処理部６、ネットワーク接続部７、ＤＲＭ処理部８、コンテンツ付加情報記憶部９、コンテンツ記録部１０、バインディング情報記憶部１１、コンテンツ再生部１２、ＤＲＭ処理部１３、暗号処理部１４、暗号処理切替部１５、コピー情報テーブル１６、コピー情報管理部１７、監視部１８、ユーザ通知部１９、及び同期処理部２０を備えている。コンテンツ記録再生装置４００の各部は、汎用バス、若しくは専用の特殊バスで互いに接続されている。
【００９０】
コピー情報テーブル１６は、コピー情報テーブル記憶手段である。コピー情報テーブル１６は、マネージドコピーが実施された場合のコピーに関する情報を記憶する。
【００９１】
コピー情報管理部１７は、コピー情報管理手段である。コピー情報管理部１７は、コピー情報テーブル１６への情報の書込みを制御する。
【００９２】
監視部１８は、監視手段である。監視部１８は、コンテンツ付加情報記憶部５若しくはコンテンツ付加情報記憶部９の記憶内容が更新されたかどうか判断する。
【００９３】
ユーザ通知部１９は、ユーザ通知手段である。ユーザ通知部１９は、ユーザに通知すべき事象が本装置４００内部で発声した場合にユーザへ情報を提供する為に表示データを作成し出力する。
【００９４】
同期処理部２０は、同期手段である。同期処理部２０は、コンテンツ付加情報の同期処理を行う。
【００９５】
マネージドコピーを行う場合、コンテンツ付加情報記憶部５のコンテンツ付加情報をコンテンツ付加情報記憶部９にコピーする。この場合、コピー情報管理部１７は、コピーに関する関連情報をコピー情報テーブル１６に記録する。この関連情報とは、例えば、コピー元の参照情報、コピー先の参照情報、コピーされたデータのリスト、及びコピーを行った日付などの属性情報である。これにより、コピー情報テーブル１６には図１０に示すような情報が記録される。
【００９６】
コピーコンテンツを再生する場合、コンテンツ記録再生装置４００は、コンテンツ付加情報記憶部５をコンテンツ情報の記憶場所として利用する。また、光ディスクＭのコンテンツを再生する場合、コンテンツ記録再生装置４００は、コンテンツ付加情報記憶部９をコンテンツ情報の記憶場所として利用する。図１１は、コンテンツ付加情報記憶部５、若しくはコンテンツ付加情報記憶部９に記憶されているコンテンツ付加情報の一例を示す図である。
【００９７】
マネージドコピーの実施後に、光ディスクＭのコンテンツ再生中に、新たにサーバからコンテンツ付加情報をダウンロードした、コンテンツのブックマーク（チャプター）を変更した、若しくは、コンテンツの画像のキャプチャが行われたなどの場合、コンテンツ付加情報記憶部５の内容が更新される。
【００９８】
監視部１８は、常にコンテンツ付加情報記憶部５とコンテンツ付加情報記憶部９とで内容の比較を行う。すなわち、コンテンツ付加情報記憶部５若しくはコンテンツ付加情報記憶部９の内容が更新された場合、更新を検知する。監視部１８は、更新を検知した場合、ユーザ通知部１９によりコンテンツ付加情報が更新された旨をユーザに通知する。
【００９９】
また、ユーザの操作により、コンテンツ付加情報の同期を取ることが設定されている場合、同期処理部２０は、コンテンツ付加情報記憶部５とコンテンツ付加情報記憶部９とで記憶内容の同期を取る同期処理を行う。即ち、同期処理部２０は、図１２に示すように、コンテンツ付加情報記憶部５とコンテンツ付加情報記憶部９とで内容が一致するように、更新された情報のコピーを行う。
【０１００】
同期処理としては、複数の方法がある。例えば、追加されたデータにＡＡＣＳが施されている場合、データを復号する必要がある。この為、コンテンツ記録再生装置４００は、バインディング情報記憶部１１に記憶されているバインディング情報を用いて復号する、若しくは、再度光ディスクＭを読み出すことによりバインディング情報を読み出して復号を行う。
【０１０１】
追加されたデータにＡＡＣＳが施されていない場合、同期処理部２０は、追加されたデータをそのまま他方のコンテンツ付加情報記憶部にコピーすることができる。
【０１０２】
コンテンツ付加情報のコピー、即ち同期処理が行われた場合、コピー情報管理部１７は、コピー情報テーブルの情報を更新する。
【０１０３】
上記したように、コンテンツ記録再生装置は、複数のコンテンツ付加情報記憶部の更新を検知し、更新を検知した場合に更新されたデータを他方のコンテンツ付加情報記憶部にコピーする。これにより、光ディスクとコピーコンテンツのどちらをユーザが視聴する場合でも、同等の視聴環境をユーザに提供することが出来る。この結果として、よりユーザの利便性を向上させることが出来るコンテンツ記録再生装置、及びコンテンツ記録再生方法を提供することができる。
【０１０４】
なお、本実施形態では、ＡＡＣＳが施された光ディスクのコンテンツとＤＲＭが施されたコピーコンテンツをコンテンツ記録装置により再生する例について説明したがこれに限定されない。例えば、ポータブル機器などの再生装置によりコピーコンテンツを再生し、ポータブル機器の中のコンテンツ付加情報記憶部若しくはコンテンツ記録装置のコンテンツ付加情報記憶部において更新が検知された場合に他方の機器のコンテンツ付加情報記憶部に更新されたコンテンツ付加情報をコピーするようにしてもよい。
【０１０５】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【０１０６】
【図１】図１は、第１の実施の形態に係るコンテンツ記録再生装置の構成を示すブロック図である。
【図２】図２は、図１に示すコンテンツ記録再生装置により実行されるマネージドコピーの一例について概略的に説明するための説明図である。
【図３】図３は、図１に示すコンテンツ記録再生装置及びコピー許諾サーバにより実行されるマネージドコピーの認証処理について説明するためのシーケンスである。
【図４】図４は、バインディング情報の種別について説明するための説明図である。
【図５】図５は、バインディング情報記憶部に記憶されたバインディング情報の一例を説明するための説明図である。
【図６】図６は、コピーコンテンツ及びネットワークコンテンツの再生処理について説明するための説明図である。
【図７】図７は、ネットワークコンテンツのダウンロード及び再生を指示するスクリプトの記述例について説明するための説明図である。
【図８】図８は、第２の実施形態に係るコンテンツ記録再生装置においてネットワークコンテンツをダウンロードする場合の処理について説明するための説明図である。
【図９】図９は、第３の実施形態に係るコンテンツ記録再生装置の構成例を示す図である。
【図１０】図１０は、コピー情報テーブルの記憶例について示す図である。
【図１１】図１１は、コンテンツ付加情報記憶部に記憶されるコンテンツ付加情報の一例を示す図である。
【図１２】図１２は、図９に示すコンテンツ記録再生装置により実行される同期処理について説明するための説明図である。
【符号の説明】
【０１０７】
Ｎ…ネットワーク、Ｍ…光ディスク、１…光ディスクドライブ、２…ナビゲーション処理部、３…映像出力部、４…暗号処理部、５…コンテンツ付加情報記憶部、６…ＭＣ処理部、７…ネットワーク接続部、８…ＤＲＭ処理部、９…コンテンツ付加情報記憶部、１０…コンテンツ記録部、１１…バインディング情報記憶部、１２…コンテンツ再生部、１３…ＤＲＭ処理部、１４…暗号処理部、１５…暗号処理切替部、１６…コピー情報テーブル、１７…コピー情報管理部、１８…監視部、１９…ユーザ通知部、２０…同期処理部、１００…コンテンツ記録再生装置、２００…コピー許諾サーバ、３００…サーバ、４００…コンテンツ記録再生装置。
【図１】
2010009714.tif 000003
【図２】
2010009714.tif 000004
【図３】
2010009714.tif 000005
【図４】
2010009714.tif 000006
【図５】
2010009714.tif 000007
【図６】
2010009714.tif 000008
【図７】
2010009714.tif 000009
【図８】
2010009714.tif 000010
【図９】
2010009714.tif 000011
【図１０】
2010009714.tif 000012
【図１１】
2010009714.tif 000013
【図１２】
2010009714.tif 000014
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
コンテンツを第１の記憶媒体に記録するコンテンツ記録装置であって、
可搬性の第２の記憶媒体から第１の暗号方式で暗号化されているコンテンツ及びバインディング情報を読込む読込手段と、
前記第１の暗号方式により暗号化されたコンテンツを、前記バインディング情報を用いて復号する第１の復号手段と、
許諾サーバとの間でコンテンツ複製の可否を確認するための認証を行うコピー管理手段と、
前記コピー管理手段での認証によりコンテンツの複製が許可された場合、前記第１の復号手段により復号したコンテンツを第２の暗号方式により暗号化する暗号化手段と、
前記第２の暗号方式により暗号化されたコンテンツをコピーコンテンツとして前記第１の記憶媒体に記録するコンテンツ記録手段と、
前記コピーコンテンツに対応する前記バインディング情報を前記第１の記憶媒体に記録するバインディング情報記憶手段と、
前記第１の記憶媒体に記録された前記バインディング情報を用いて前記コピーコンテンツの再生を行う第２の復号手段と、
を具備することを特徴とするコンテンツ記録装置。
【請求項２】
前記第１の記憶媒体に記録されているコピーコンテンツに含まれるスクリプトを実行するスクリプト処理手段と、
前記スクリプト処理手段により実行したスクリプトで指定されるＵＲＬから、第１の暗号方式により暗号化されているネットワークコンテンツをダウンロードするネットワーク接続手段と、
前記ネットワーク接続手段によりダウンロードした前記第１の暗号方式により暗号化されているネットワークコンテンツを、前記第１の記憶媒体に記録されている前記バインディング情報を用いて復号する第３の復号手段と、
をさらに具備する請求項１に記載のコンテンツ記録装置。
【請求項３】
前記第２の暗号方式により暗号化された、前記第１の記憶媒体に記録されている前記コピーコンテンツを復号する第２の復号手段と、
前記第２の復号手段より復号される、前記第２の暗号方式で暗号化されたコピーコンテンツと、前記第３の復号手段により復号される、前記第１の暗号方式で暗号化されたネットワークコンテンツとを組み合わせて再生するコンテンツ再生手段、
をさらに具備することを特徴とする請求項２に記載のコンテンツ記録装置。
【請求項４】
コンテンツの記録の許可を行う許諾サーバにネットワークで接続され、コンテンツを第１の記憶媒体に記録するコンテンツ記録装置に用いられるコンテンツ記録方法であって、
可搬性の第２の記憶媒体から第１の暗号方式により暗号化されているコンテンツ及びバインディング情報を読込み、
前記第１の暗号方式により暗号化されたコンテンツを、前記バインディング情報を用いて復号し、
前記許諾サーバとの間でコンテンツ複製の可否を確認するための認証を行い、
前記コンテンツの記録が許可された場合、前記復号したコンテンツを第２の暗号方式により暗号化し、
前記第２の暗号方式により暗号化されたコンテンツをコピーコンテンツとして前記第１の記憶媒体に記録し、
前記コピーコンテンツに対応する前記バインディング情報を前記第１の記憶媒体に記憶し
前記第１の記憶媒体に記録された前記バインディング情報を用いて前記コピーコンテンツを再生する、
ことを特徴とするコンテンツ記録方法。
【請求項５】
コンテンツを第１の記憶媒体に記録するコンテンツ記録装置であって、
可搬性の第２の記憶媒体から第１の暗号方式により暗号化されているコンテンツとコンテンツ付加情報とバインディング情報とを読込む読込手段と、
前記読込手段により読み込んだ前記コンテンツ付加情報を記憶する第１のコンテンツ付加情報記憶手段と、
前記読込手段により読み込んだ、前記第１の暗号方式により暗号化されたコンテンツを、前記バインディング情報を用いて復号する第１の復号手段と、
許諾サーバとの間でコンテンツの複製の可否を確認するための認証を行うコピー管理手段と、
前記コピー管理手段によりコンテンツの記録が許可された場合、前記第１の復号手段により復号したコンテンツ及び前記コンテンツ付加情報を第２の暗号方式により暗号化する暗号化手段と、
前記第２の暗号方式により暗号化されたコンテンツをコピーコンテンツとして前記第１の記憶媒体に記録するコンテンツ記録手段と、
前記第２の暗号方式により暗号化された前記コンテンツ付加情報を前記第１の記憶媒体に記録する第２のコンテンツ付加情報記憶手段と、
前記第２の記憶媒体のコンテンツに記憶されたコンテンツの再生時に、前記第１のコンテンツ付加情報記憶手段のコンテンツ付加情報を更新する第１のコンテンツ付加情報更新手段と、
前記第１の記憶媒体に記憶された前記コピーコンテンツの再生時に、前記第２のコンテンツ付加情報記憶手段のコンテンツ付加情報を更新する第２のコンテンツ付加情報更新手段と、
前記第１のコンテンツ付加情報更新手段若しくは前記第２のコンテンツ付加情報更新手段により更新が行なわれることを検知する監視手段と、
前記監視手段により、前記第１のコンテンツ付加情報更新手段若しくは前記第２のコンテンツ付加情報更新手段により更新が行なわれたことを検知した場合、更新されたコンテンツ付加情報を用いて、更新されていない側のコンテンツ付加情報記憶手段を更新する同期手段と、
を具備することを特徴とするコンテンツ記録装置。
【手続補正３】
【補正対象書類名】明細書
【補正対象項目名】００１１
【補正方法】変更
【補正の内容】
【００１１】
本発明の一実施形態としてのコンテンツ記録装置は、コンテンツを第１の記憶媒体に記録するコンテンツ記録装置であって、可搬性の第２の記憶媒体から第１の暗号方式で暗号化されているコンテンツ及びバインディング情報を読込む読込手段と、前記第１の暗号方式により暗号化されたコンテンツを、前記バインディング情報を用いて復号する第１の復号手段と、許諾サーバとの間でコンテンツ複製の可否を確認するための認証を行うコピー管理手段と、前記コピー管理手段での認証によりコンテンツの複製が許可された場合、前記第１の復号手段により復号したコンテンツを第２の暗号方式により暗号化する暗号化手段と、前記第２の暗号方式により暗号化されたコンテンツをコピーコンテンツとして前記第１の記憶媒体に記録するコンテンツ記録手段と、前記コピーコンテンツに対応する前記バインディング情報を前記第１の記憶媒体に記録するバインディング情報記憶手段と、前記第１の記憶媒体に記録された前記バインディング情報を用いて前記コピーコンテンツの再生を行う第２の復号手段と、を具備する。
【手続補正４】
【補正対象書類名】明細書
【補正対象項目名】００１２
【補正方法】変更
【補正の内容】
【００１２】
また、本発明の一実施形態としてのコンテンツ記録装置は、コンテンツを第１の記憶媒体に記録するコンテンツ記録装置であって、可搬性の第２の記憶媒体から第１の暗号方式により暗号化されているコンテンツとコンテンツ付加情報とバインディング情報とを読込む読込手段と、前記読込手段により読み込んだ前記コンテンツ付加情報を記憶する第１のコンテンツ付加情報記憶手段と、前記読込手段により読み込んだ、前記第１の暗号方式により暗号化されたコンテンツを、前記バインディング情報を用いて復号する第１の復号手段と、許諾サーバとの間でコンテンツの複製の可否を確認するための認証を行うコピー管理手段と、前記コピー管理手段によりコンテンツの記録が許可された場合、前記第１の復号手段により復号したコンテンツ及び前記コンテンツ付加情報を第２の暗号方式により暗号化する暗号化手段と、前記第２の暗号方式により暗号化されたコンテンツをコピーコンテンツとして前記第１の記憶媒体に記録するコンテンツ記録手段と、前記第２の暗号方式により暗号化された前記コンテンツ付加情報を前記第１の記憶媒体に記録する第２のコンテンツ付加情報記憶手段と、前記第２の記憶媒体のコンテンツに記憶されたコンテンツの再生時に、前記第１のコンテンツ付加情報記憶手段のコンテンツ付加情報を更新する第１のコンテンツ付加情報更新手段と、前記第１の記憶媒体に記憶された前記コピーコンテンツの再生時に、前記第２のコンテンツ付加情報記憶手段のコンテンツ付加情報を更新する第２のコンテンツ付加情報更新手段と、前記第１のコンテンツ付加情報更新手段若しくは前記第２のコンテンツ付加情報更新手段により更新が行なわれることを検知する監視手段と、前記監視手段により、前記第１のコンテンツ付加情報更新手段若しくは前記第２のコンテンツ付加情報更新手段により更新が行なわれたことを検知した場合、更新されたコンテンツ付加情報を用いて、更新されていない側のコンテンツ付加情報記憶手段を更新する同期手段と、を具備する。
【手続補正５】
【補正対象書類名】明細書
【補正対象項目名】００１３
【補正方法】変更
【補正の内容】
【００１３】
また、本発明の一実施形態としてのコンテンツ記録方法は、コンテンツの記録の許可を行う許諾サーバにネットワークで接続され、コンテンツを第１の記憶媒体に記録するコンテンツ記録装置に用いられるコンテンツ記録方法であって、可搬性の第２の記憶媒体から第１の暗号方式により暗号化されているコンテンツ及びバインディング情報を読込み、前記第１の暗号方式により暗号化されたコンテンツを、前記バインディング情報を用いて復号し、前記許諾サーバとの間でコンテンツ複製の可否を確認するための認証を行い、前記コンテンツの記録が許可された場合、前記復号したコンテンツを第２の暗号方式により暗号化し、前記第２の暗号方式により暗号化されたコンテンツをコピーコンテンツとして前記第１の記憶媒体に記録し、前記コピーコンテンツに対応する前記バインディング情報を前記第１の記憶媒体に記憶し前記第１の記憶媒体に記録された前記バインディング情報を用いて前記コピーコンテンツを再生する。